(57)【要約】      （修正有）【課題】簡単に，安全に，経済的に使用できるとともに，自由に開閉する支脚部を設けることにより，任意の傾きでスタンドを立てることができる，紙質又は樹脂膜片等の板状材を使用した，後付けの二重補助支脚式簡易スタンドを提供する。【解決手段】厚めと薄めの，少なくとも４枚の紙質又は樹脂膜片等の板状材を貼り合わせて作る，自由に開閉角度を調節できる支脚部２及び内蔵式の二重補助支脚３，４を設け，表台紙１の表面には，必要に応じて展示するものと合体させるため，適当な大きさを有する両面テ−プ等のシ−ルを予め貼っておくことにより，後付けの簡易スタンドであることを特徴とする。【選択図】図４
0003114568.tif 000002
【実用新案登録請求の範囲】
【請求項１】
同一サイズの，厚めと薄めの，少なくとも４枚の直方体の紙質又は樹脂膜片等からなる板状材を貼り合わせて作る開脚可能な支脚部を設けた簡易スタンドであり，
（１）表台紙にするため及び開脚可能な支脚部を形成するための厚めの板状材並びに補助支脚部を形成するための薄めの板状材で構成する。
（２）これらの板状材のうち，厚めのものは，少なくとも１枚を表台紙として使用し，また，少なくとも１枚を支脚部として使用する。
（３）これらの板状材のうち，薄めのものは，補助支脚部を形成するため，中間部で二つ折り及び三つ折りにし，下端部で支脚部及び台紙に接合することにより，内蔵式の二重構造の補助支脚部を形成し，必要角度での開脚の保持，一定角度以上の開脚の防止等の補助的な支脚部の役割を担わせる。
（４）表台紙の表面には，展示しようとするものと合体させるため，適当な大きさの両面テ−プ等のシ−ルを貼る。
以上の構成からなる内蔵式の二重構造の補助支脚部を有した，後付けの簡易スタンド。
【請求項２】
請求項１記載の長方形の紙質又は樹脂膜片等の板状材において，
（１）厚めのものの少なくとも１枚は，展示しようとするものと合体させるための表台紙の役割を担う台紙として使用する。
（２）厚めのものの少なくとも１枚は，全体長の下からおおよそ５分の３の部分を支脚部として使用するため糊付けすることなく，上方のおおよそ５分の２の部分は，台紙に貼りつけるための糊代とする。
また，上辺からおおよそ５分の２のところに，折り目をつけ，折曲部を設ける。
（３）薄めのもの２枚は，支脚部の強度を支えるための内蔵式の補助支脚部とし，うち１枚は，全体長の２分の１の部分で二つ折りにすることにより，逆Ｖ字型となった帯状の板について，両側面の外側部分を表台紙及び支脚部と接合するため，両側面の下からおおよそ３分の２の部分を糊代として使用し，片側は，支脚部として使用する板状材に貼りつけ，片側は，表台紙の裏側に貼りつける。
また，残る１枚は，全体長の２分の１の部分で二つ折りにし，さらにそれぞれを３分の１の部分で折り返すことにより，Ｍ字型となった帯状の板について，逆Ｖ字型となった帯状の板に下部を揃えて貼りつける。
（４）表台紙の表面には，必要に応じて展示するものと合体させるため，適当な大きさを有する両面テ−プ等のシ−ルを予め貼っておく。
以上の構成からなる，台紙と支脚部で形成される支脚部の折曲部分周辺において，糊付けされない遊びの空間が生じることによりできる，丈夫で，展示角度を自由に替えられる内蔵式の二重補助支脚部を設けたことを特徴とする請求項１記載の後付けの簡易スタンド。
【考案の詳細な説明】
【技術分野】
【０００１】  この考案は，写真等を立てて展示するため，写真等の裏側に貼りつけて使用する簡易スタンドで，台紙の裏に，自由に開閉する支脚部を設けることにより，任意の傾きでスタンドを立てることができる，紙質又は樹脂膜片等の板状材を使用した，軽くて，丈夫な内蔵式二重補助支脚を有した簡易スタンドに関するものである。
【背景技術】
【０００２】  従来，写真立て等のスタンドは，台紙と支脚部が一体となり，紙，木，樹脂製の支脚部を有したものがあった。
支脚部だけを独立させて，展示物に後付けする簡易スタンドはなかった。
【考案が解決しょうとする課題】
【０００３】  これらは，次のような問題点があった。
写真等を展示する場合，展示サイズにより，予め用意された支脚付きのスタンドを使用しなければならなかった。
これら台紙と支脚部が一体となったスタンドは，紙製の支脚は，耐久性に欠け，また，木，樹脂製の支脚は，必要以上に頑丈にできているため，見場が悪く値段も高いものが多かった。
本考案は，以上のような欠点をなくし，簡単に，安全に，経済的に使用でき，表からみても，裏や横からみても美しいように考えたものである。
【課題を解決するための手段】
【０００４】（１）同一サイズの，厚めと薄めの，少なくとも４枚の直方体の紙質又は樹脂膜片等からなる板状材を貼り合わせて作る開脚可能な支脚部及び支脚部を補強するための内蔵式の二重補助支脚部を設けた簡易スタンドで構成する簡易スタンドとする。
（２）これらの板状材のうち，厚めのものは，少なくとも１枚を表台紙として展示しようとするものと合体させるための表台紙の役割を担う台紙として使用する。
また，少なくとも１枚を支脚部として使用し，全体長の下からおおよそ５分の３の部分を支脚部として使用するため糊付けすることなく，上方のおおよそ５分の２の部分は，台紙に貼りつけるための糊代とする。
また，上辺からおおよそ５分の２のところに，折り目をつけ，折曲部を設ける。
（３）これらの板状材のうち，薄めのもの２枚は，支脚部の強度を支えるための内蔵式の補助支脚部を形成し，うち１枚は，全体長の２分の１の部分で二つ折りにすることにより，逆Ｖ字型となった帯状の板について，両側面の外側部分を表台紙及び支脚部と接合するため，両側面の下からおおよそ３分の２の部分を糊代として使用し，片側は，支脚部として使用する板状材に貼りつけ，片側は，表台紙の裏側に貼りつける。
また，残る１枚は，全体長の２分の１の部分で二つ折りにし，さらに，それぞれを３分の１の部分で折り返すことにより，Ｍ字型となった帯状の板について，逆Ｖ字型となった帯状の板に下部を揃えて貼りつける。
これらにより，必要角度での開脚の保持，一定角度以上の開脚の防止等の補助的な支脚部の役割を担わせる。
（４）表台紙の表面には，必要に応じて展示するものと合体させるため，適当な大きさを有する両面テ−プ等のシ−ルを予め貼っておく。
これらにより，台紙と支脚部で形成される支脚部の折曲部分周辺において設ける内蔵式の二重補助支脚部により，糊付けされない遊びの空間が生じ，丈夫でしなやかな支脚部になるとともに，美観にも優れた支脚部が形成されるとともに，展示しようとするものに，貼りつけることにより，簡単にスタンドが形成される。
【考案を実施するための最良の形態】
【０００５】  以下，本考案を実施するための最良の形態について説明する。
（１）写真等を立てて展示する場合，表台紙の両面テ−プをはがし，合体させる。
（２）写真等のスタンドの傾き角度は，支脚部の開きの大小により調節する。内蔵式の二重補助支脚により，一定以上の開脚は防止されるとともに，必要な角度での開脚が保持される。
（３）写真等のスタンドをしまう場合は，支脚部を閉じる。
【考案の効果】
【０００６】  あらゆる場所で，写真等を立てて展示することが多い。
そのため写真立て等の器材は整っているが，簡単に，安全に，経済的に使用できるスタンドは見当たらない。
市販されている各種スタンドは，表面はきれいであっても，裏面をみると，写真等をはめ込むための装置や，複雑な構造をもった支脚部により，凹凸のある雑然としたものが多く，美観を損ねている。
本考案の簡易スタンドは，写真をはじめ立てて展示したいものの裏面に貼りつけることにより簡単にスタンドが形成されるもので，裏面の帯状の支脚部が開いたり閉じたりする構造であり，使用時には，内蔵されている二重式補助支脚に支えられた支脚部が台紙を保持し，また，非使用時には，支脚部が台紙と一体となり，ほぼ平坦になるなど，デザイン的にも，すっきりしている。
また，展示物を立てて展示したいとした場合，簡単に対応できる。
【図面の簡単な説明】
【０００７】
【図１】    本考案の簡易スタンドの正面図である。
【図２】    本考案の簡易スタンドの側面図である。
【図３】    本考案の簡易スタンドの背面図である。
【図４】    本考案の簡易スタンドの斜視図である。
【符号の説明】
【０００８】      １  表台紙
２  支脚部（スタンド）
３  補助支脚部（逆Ｖ字型）
４  補助支脚部（Ｍ字型）
５  両面テ−プ
【図１】
0003114568.tif 000003
【図２】
0003114568.tif 000004
【図３】
0003114568.tif 000005
【図４】
0003114568.tif 000006